【手続補正書】
【提出日】平成18年4月7日(2006.4.7)
【手続補正１】
【補正対象書類名】明細書
【補正対象項目名】特許請求の範囲
【補正方法】変更
【補正の内容】
【特許請求の範囲】
【請求項１】  洗浄水を供給する給水路と、該給水路に接続してなる洗浄水加熱手段と、該洗浄水加熱手段によって加熱された洗浄水の温度を検知する湯温検知手段と、該湯温検知手段の信号を取り込むとともに、前記洗浄水加熱手段の制御を行う制御器と、洗浄水を噴出する洗浄ノズルとを備えてなる人体洗浄装置において、該人体洗浄装置への人体接近若しくは該人体洗浄装置の使用を検知する検知手段と、該検知手段からの接近信号若しくは使用開始信号に連動して前記洗浄水加熱手段を起動せしめる制御器と、前記洗浄水を前記洗浄ノズルから人体に噴出させる際に前記給水路を流れる洗浄水に脈動を与える脈動発生手段とを備えたことを特徴とする人体洗浄装置。
【請求項２】  請求項１記載の人体洗浄装置において、前記検知手段は、着座を検知する着座検知手段により構成したことを特徴とする人体洗浄装置。
【請求項３】  請求項１記載の人体洗浄装置において、前記検知手段は、便蓋が閉状態から開状態となる動作を検出する検出手段により構成したことを特徴とする人体洗浄装置。
【請求項４】  請求項１〜請求項３のいずれかに記載の人体洗浄装置において、洗浄水の供給又は停止を指示する操作手段と、該操作手段からの洗浄水供給信号に連動して前記脈動発生手段を起動せしめる制御器とを設けたことを特徴とする人体洗浄装置。
【請求項５】  請求項１〜請求項３のいずれかに記載の人体洗浄装置において、洗浄水の供給又は停止を指示する操作手段と、洗浄水の吐水先を人体洗浄位置と排水位置とのいずれかに変更する変更手段とを備え、前記操作手段により洗浄水の供給が指示された際、前記変更手段により排水位置にて吐水させた後、人体洗浄位置へ変更する制御手段を備えたことを特徴とする人体洗浄装置。
【請求項６】  請求項５記載の人体洗浄装置において、前記排水位置は前記洗浄ノズルを洗浄できる位置としたことを特徴とする人体洗浄装置。
【請求項７】  請求項５若しくは請求項６記載の人体洗浄装置において、前記変更手段は流路を変更する流路変更手段であることを特徴とする人体洗浄装置。
【請求項８】  請求項７記載の人体洗浄装置において、前記流路変更手段に、洗浄水の流量を調節する流量調節手段を備えたことを特徴とする人体洗浄装置。
【請求項９】  請求項５若しくは請求項６記載の人体洗浄装置において、前記変更手段はノズルを非使用位置と使用位置との間で駆動するノズル駆動手段であることを特徴とする人体洗浄装置。
【請求項１０】  請求項１〜請求項３のいずれかに記載の人体洗浄装置において、洗浄水の供給又は停止を指示する操作手段と、洗浄水の洗浄強度を入力する入力手段と、洗浄水の流量を調節する流量調節手段と、該流量調節手段及び前記脈動発生手段の制御を行う制御器とを備え、前記操作手段により洗浄水の供給が指示された際、洗浄水の洗浄強度を前記入力手段で入力された洗浄水の洗浄強度に達するまで連続的に上昇せしめる制御を、前記制御器により行うことを特徴とする人体洗浄装置。
【請求項１１】  請求項１〜請求項１０のいずれかに記載の人体洗浄装置において、前記脈動発生手段を、前記洗浄水加熱手段の下流に設けたことを特徴とする人体洗浄装置。
【請求項１２】  請求項１記載の人体洗浄装置において、前記検知手段からの接近信号若しくは使用開始信号に連動して前記洗浄水加熱手段を起動せしめる制御器による制御の実施可否を選択する節電スイッチを設け、該節電スイッチがオンの際には前記制御器による制御を行わないことを特徴とする人体洗浄装置。
【請求項１３】  請求項１２記載の人体洗浄装置において、洗浄水の供給又は停止を指示する操作手段を備え、該操作手段により洗浄水の供給が指示された際、前記節電スイッチがオンであれば吐水を遅延させる遅延手段を備えたことを特徴とする人体洗浄装置。
【請求項１４】  請求項１３記載の人体洗浄装置において、前記遅延手段により吐水を遅延させている間に前記洗浄水加熱手段を起動せしめる制御器を設けたこと特徴とする人体洗浄装置。
【請求項１５】  洗浄水を供給する給水路と、該給水路に接続してなる洗浄水加熱手段と、該洗浄水加熱手段によって加熱された洗浄水の温度を検知する湯温検知手段と、該湯温検知手段の信号を取り込むとともに、前記洗浄水加熱手段の制御を行う制御器と、洗浄水を噴出する洗浄ノズルとを備えてなる人体洗浄装置において、該装置への人体接近若しくは該装置の使用を検知する検知手段と、該検知手段からの接近信号若しくは使用開始信号に連動して前記洗浄水加熱手段を起動せしめ、かつ、前記湯温検出手段が所定温度を検知すると、前記洗浄水加熱手段の出力を減殺させ、所定温度を含む所定温度帯内に湯温を保つ制御を行う制御器とを設けたことを特徴とする人体洗浄装置。
【請求項１６】  洗浄水を供給する給水路と、該給水路に接続してなる洗浄水加熱手段と、該洗浄水加熱手段によって加熱された洗浄水の温度を検知する湯温検知手段と、該湯温検知手段の信号を取り込むとともに、前記洗浄水加熱手段の制御を行う制御器と、洗浄水を噴出する洗浄ノズルとを備えてなる人体洗浄装置において、洗浄水の供給又は停止を指示する操作手段と、洗浄水の吐水先を人体洗浄位置と排水位置とのいずれかに変更する変更手段とを備え、前記操作手段により洗浄水の供給が指示された際、前記湯温検出手段が殺菌に適する湯温を検知するまで前記制御器により前記加熱手段を起動し、高温になった湯を排水位置にて一定時間吐水させた後、前記湯温検出手段が人体洗浄に適する湯温を検出した際に、前記変更手段により洗浄水の吐水先を人体洗浄位置に変更することを特徴とする人体洗浄装置。
【請求項１７】  請求項１５若しくは請求項１６記載の人体洗浄装置において、前記洗浄水加熱手段へ流入する洗浄水の温度を検知する水温検知手段を設け、該水温検知手段による検出水温により前記洗浄水加熱手段の制御方法を変更する制御変更手段を前記制御器に備えたことを特徴とする人体洗浄装置。
【請求項１８】  請求項１５〜請求項１７のいずれかに記載の人体洗浄装置において、前記給水路を流れる洗浄水に脈動を与える脈動発生手段を設けたことを特徴とする人体洗浄装置。
【請求項１９】  請求項１８記載の人体洗浄装置において、前記脈動発生手段を、前記洗浄水加熱手段の下流に設けたことを特徴とする人体洗浄装置。
【請求項２０】  請求項１〜請求項１９のいずれかに記載の人体洗浄装置において、前記洗浄水加熱手段内の水位を検知する水位検知手段を設け、該水位検知手段により所定の水位を検知していない時には、前記洗浄水加熱手段の出力を停止せしめる禁止手段を備えたことを特徴とする人体洗浄装置。
【手続補正２】
【補正対象書類名】明細書
【補正対象項目名】０００８
【補正方法】変更
【補正の内容】
【０００８】
【課題を解決するための手段・作用及び効果】
上記目的を達成するために、請求項１の人体洗浄装置においては、洗浄水を供給する給水路と、該給水路に接続してなる洗浄水加熱手段と、該洗浄水加熱手段によって加熱された洗浄水の温度を検知する湯温検知手段と、該湯温検知手段の信号を取り込むとともに、前記洗浄水加熱手段の制御を行う制御器と、洗浄水を噴出する洗浄ノズルとを備えてなる人体洗浄装置において、該人体洗浄装置への人体接近若しくは該人体洗浄装置の使用を検知する検知手段と、該検知手段からの接近信号若しくは使用開始信号に連動して前記洗浄水加熱手段を起動せしめる制御器と、前記洗浄水を前記洗浄ノズルから人体に噴出させる際に前記給水路を流れる洗浄水に脈動を与える脈動発生手段とを備えたものである。
【手続補正３】
【補正対象書類名】明細書
【補正対象項目名】００１０
【補正方法】変更
【補正の内容】
【００１０】
請求項２においては、請求項１記載の人体洗浄装置において、前記検知手段は、着座を検知する着座検知手段により構成したものである。
【手続補正４】
【補正対象書類名】明細書
【補正対象項目名】００１２
【補正方法】変更
【補正の内容】
【００１２】
請求項３においては、請求項１記載の人体洗浄装置において、前記検知手段は、便蓋が閉状態から開状態となる動作を検出する検出手段により構成したものである。
【手続補正５】
【補正対象書類名】明細書
【補正対象項目名】００１４
【補正方法】変更
【補正の内容】
【００１４】
請求項４においては、請求項１〜請求項３のいずれかに記載の人体洗浄装置において、洗浄水の供給又は停止を指示する操作手段と、該操作手段からの洗浄水供給信号に連動して前記脈動発生手段を起動せしめる制御器とを設けたものである。
【手続補正６】
【補正対象書類名】明細書
【補正対象項目名】００１６
【補正方法】変更
【補正の内容】
【００１６】
請求項５においては、請求項１〜請求項３のいずれかに記載の人体洗浄装置において、洗浄水の供給又は停止を指示する操作手段と、洗浄水の吐水先を人体洗浄位置と排水位置とのいずれかに変更する変更手段とを備え、前記操作手段により洗浄水の供給が指示された際、前記変更手段により排水位置にて吐水させた後、人体洗浄位置へ変更する制御手段を備えたものである。
【手続補正７】
【補正対象書類名】明細書
【補正対象項目名】００１８
【補正方法】変更
【補正の内容】
【００１８】
請求項６においては、請求項５記載の人体洗浄装置において、前記排水位置は前記洗浄ノズルを洗浄できる位置としたものである。
【手続補正８】
【補正対象書類名】明細書
【補正対象項目名】００２６
【補正方法】変更
【補正の内容】
【００２６】
請求項１０においては、請求項１〜請求項３のいずれかに記載の人体洗浄装置において、洗浄水の供給又は停止を指示する操作手段と、洗浄水の洗浄強度を入力する入力手段と、洗浄水の流量を調節する流量調節手段と、該流量調節手段及び前記脈動発生手段の制御を行う制御器とを備え、前記操作手段により洗浄水の供給が指示された際、洗浄水の洗浄強度を前記入力手段で入力された洗浄水の洗浄強度に達するまで連続的に上昇せしめる制御を、前記制御器により行うものである。
【手続補正９】
【補正対象書類名】明細書
【補正対象項目名】００２８
【補正方法】変更
【補正の内容】
【００２８】
請求項１１においては、請求項１〜請求項１０のいずれかに記載の人体洗浄装置において、前記脈動発生手段を、前記洗浄水加熱手段の下流に設けたものである。
【手続補正１０】
【補正対象書類名】明細書
【補正対象項目名】００４２
【補正方法】変更
【補正の内容】
【００４２】
請求項１８においては、請求項１５〜請求項１７のいずれかに記載の人体洗浄装置において、前記給水路を流れる洗浄水に脈動を与える脈動発生手段を設けたものである。